(57)【要約】【課題】洗濯をした後のフード付被服のフードの形状を崩さずに干すことができ、また、風でフードが煽られても当該フードがフード付被服用ハンガー補助具から外れないようにする。【解決手段】フードに挿入され、フードの立体形状を保持するように形成されたフード支持体１０と、一端側にフード付被服が掛けられたハンガーと係合するためのハンガー係合部２４が設けられると共に他端側にはフード付被服用ハンガー補助具を吊るすためのフック部２２が設けられたハンガーフック体２０と、を備えて構成されている。【選択図】　図１
0003098924.tif 000002
【実用新案登録請求の範囲】
【請求項１】
ハンガーと組合されて使用されるフード付被服用ハンガー補助具において、
フードに挿入され、当該フードの立体形状を保持するように形成されたフード支持体と、
一端側にフード付被服が掛けられたハンガーと係合するためのハンガー係合部が設けられると共に他端側には当該フード付被服用ハンガー補助具を吊るすためのフック部が設けられたハンガーフック体と、
を備えて構成されていることを特徴とするフード付被服用ハンガー補助具。
【請求項２】
請求項１に記載のフード付被服用ハンガー補助具において、
前記フード支持体は、底面部が開口した半円錐形状とされ、その円錐面の周囲に複数の通気孔が穿設されていることを特徴とするフード付被服用ハンガー補助具。
【請求項３】
請求項１又は２に記載のフード付被服用ハンガー補助具において、
前記フード支持体は、前記円錐面の外径がフードの寸法に合わせて所定の大きさに調節できるようにされていることを特徴とするフード付被服用ハンガー補助具。
【請求項４】
請求項１から３のいずれか１項に記載のフード付被服用ハンガー補助具において、
前記フード支持体は、前記円錐面の外側に前記フードが前記フード支持体から外れるのを防止するフード係止片を備えて構成されていることを特徴とするフード付被服用ハンガー補助具。
【請求項５】
請求項１から４のいずれか１項に記載のフード付被服用ハンガー補助具において、
前記ハンガーフック体は、前記フード支持体と着脱可能に挿嵌され、フード付被服の形状及び大きさによって、所定の形状のものに交換することができることを特徴とするフード付被服用ハンガー補助具。
【請求項６】
請求項１から５のいずれか１項に記載のフード付被服用ハンガー補助具において、
前記フード係止片は、弾性部材で形成され、当該フード係止片に力が加わるとその方向に撓むようにされていることを特徴とするフード付被服用ハンガー補助具。
【請求項７】
請求項１から６のいずれか１項に記載のフード付被服用ハンガー補助具において、
前記フード係止片は、前記フード支持体と着脱可能に設けられ、前記フードの大きさ及び種類によって所定の形状のものに交換することができることを特徴とするフード付被服用ハンガー補助具。
【請求項８】
請求項１から７のいずれか１項に記載のフード付被服用ハンガー補助具において、
前記ハンガー係合部には、フード付被服が掛けられているハンガーを掛けるための孔の位置が調節可能に設けられていることを特徴とするフード付被服用ハンガー補助具。
【請求項９】
請求項１から８のいずれか１項に記載のフード付被服用ハンガー補助具において、
前記ハンガー係合部には、フード付被服が掛けられているハンガーを掛けるための１又は２以上の貫通孔が設けられていることを特徴とするフード付被服用ハンガー補助具。
【考案の詳細な説明】
【０００１】
【考案の属する技術分野】
本考案は、ハンガーと組合わされて使用されるフード付被服用ハンガー補助具に関し、より詳細には、洗濯をした後のフード付被服のフードの形状を崩さずに干すことができ、また、風でフードが煽られても当該フードがフード付被服用ハンガー補助具からずり落ちないようにしたフード付被服用ハンガー補助具に関する。
【０００２】
【従来技術】
従来から、フード付の被服はデザインのバリエーションが豊富で、また、機能的であることから人気があり、幅広い年齢層の需要者に多く売れている。しかし、一般的にフード部分は他の部分に比べて厚手の生地を使用している場合が多く、また、洗濯した当該被服を干す場合に、フードが垂れ下がって被服と密着し風通しが悪くなり、当該フード部分はより多くの乾燥時間が必要になるという問題がある。そこで、これらの問題を解決するため、フード付被服を効果的に干すためのハンガー又はハンガー補助具が幾つか発明されている。
【０００３】
まず、特開２００２−８５２３８号にはフード付被服用ハンガー補助具が開示されている（特許文献１を参照）。特許文献１は、フードを掛けるためのスライド片と、当該フードを押さえて固定するためのフード支持体と、フード付被服が掛けられたハンガーを係止するためのハンガー引掛片を備えたフード付き被服用ハンガー補助具である。このハンガー補助具は、フード付被服を干す際にハンガー引掛片にフード付被服を掛けたハンガーをさらに掛けるものである。また当該フードをスライド片に掛けると共に、フード支持体とスライド片との間に挟み込むようにして、フードがフード支持体から外れないように支持することができるようにされている。従って、フードを広げた状態で干すことができ、フードを垂れ下がった状態で干す場合よりも早く乾燥させることができる。
次に、特開２０００−３００４１７号について説明する（特許文献２を参照）。特許文献２はフード付衣類用ハンガーであるが、略リング状に形成されたフード掛け部と、ストッパー受けと、吊り杆移動防止部と、を備えて構成されている。また、吊り杆にハンガー掛け部を有し、そのハンガー掛け部にフード付被服が掛けられたハンガーを掛け、フードを略リング状に形成された前記フード掛け部に掛けるようにされている。これによって、通常のハンガーに掛けられたフード付被服を当該ハンガー掛け部に吊してフードを略リング状のフード掛け部に掛けることによって、洗濯をした後のフードの型崩れを防止し、また、フードが被服と密着しない状態で乾かすことができるので、乾燥の遅れを防止できるものである。
【０００４】
【特許文献１】
特開２００２−８５２３８号公報　（第２〜３頁、第１、２図）
【特許文献２】
特開２０００―３００４１７号公報　（第２頁、第２、６図）
【０００５】
しかし、特許文献１に記載の発明は、当該フードを平面的に広げるものであるため、あまり乾燥時間を短縮することができず。また、フードをスライド片とフード支持体との間で押さえて支持するようにしているため、乾燥させた時にフードにそのスライド片やフード支持体の跡が残ったり、フードが型崩れしてしまうという問題がある。
また、特許文献２に記載の発明は、略リング状のフード掛け部にフードを掛けるようにされているため、フード掛け部のリング状の型がフードに残ってしまうという問題がある。さらに、当該ハンガーにはフードを押さえる機構がなく、強い風が吹くとフードがフード掛け部から外れてしまうという問題がある。また、フードがリング状のフード掛け部よりも大きいと、フード掛け部から出たフードの折り返し部分が乾燥し難いという問題がある。
【０００６】
【考案が解決しようとする課題】
そこで本考案は、フード付被服用ハンガー補助具に関し、より詳細には、洗濯した後のフード付被服を乾燥させる際に、フードの型崩れを防止し、且つフードにハンガーの跡が付くのを防止することができるフード付被服用ハンガー補助具を提供する。また、フード支持部を立体形状として、その外表面に複数の通気孔を設けることによって、フード全体が均等に風に晒されるようにして乾かすことができる。さらに、風に吹かれてフードが当該補助具のフード支持体から外れないように、フードの形を保持して当該フードを支持できるようにしたフード付被服用ハンガー補助具を提供する。
【０００７】
【課題を解決するための手段】
上記課題を解決するために、請求項１に記載の考案は、ハンガーと組合されて使用されるフード付被服用ハンガー補助具において、フードに挿入され、フードの立体形状を保持するように形成されたフード支持体と、一端側にフード付被服が掛けられたハンガーと係合するためのハンガー係合部が設けられると共に他端側にはフード付被服用ハンガー補助具を吊るすためのフック部が設けられたハンガーフック体と、を備えて構成されていることを特徴とする。
【０００８】
上記課題を解決するために、請求項２に記載の考案は、請求項１に記載のフード付被服用ハンガー補助具において、フード支持体は、底面部が開口した半円錐形状とされ、その円錐面の周囲に複数の通気孔が穿設されていることを特徴とする。
【０００９】
上記課題を解決するために、請求項３に記載の考案は、請求項１又は２に記載のフード付被服用ハンガー補助具において、フード支持体は、円錐面の外径がフードの寸法に合わせて所定の大きさに調節できるようにされていることを特徴とする。
【００１０】
上記課題を解決するために、請求項４に記載の考案は、請求項１から３のいずれか１項に記載のフード付被服用ハンガー補助具において、フード支持体は、円錐面の外側にフードがフード支持体から外れるのを防止するフード係止片を備えて構成されていることを特徴とする。
【００１１】
上記課題を解決するために、請求項５に記載の考案は、請求項１から４のいずれか１項に記載のフード付被服用ハンガー補助具において、ハンガーフック体は、フード支持体と着脱可能に挿嵌され、フード付被服の形状及び大きさによって、所定の形状のものに交換することができることを特徴とする。
【００１２】
上記課題を解決するために、請求項６に記載の考案は、請求項１から５のいずれか１項に記載のフード付被服用ハンガー補助具において、フード係止片は、弾性部材で形成され、フード係止片に力が加わるとその方向に撓むようにされていることを特徴とする。
【００１３】
上記課題を解決するために、請求項７に記載の考案は、請求項１から６のいずれか１項に記載のフード付被服用ハンガー補助具において、フード係止片は、フード支持体と着脱可能に設けられ、フードの大きさ及び種類によって所定の形状のものに交換することができることを特徴とする。
【００１４】
上記課題を解決するために、請求項８に記載の考案は、請求項１から７のいずれか１項に記載のフード付被服用ハンガー補助具において、ハンガー係合部には、フード付被服が掛けられているハンガーを掛けるための孔の位置が調節可能に設けられていることを特徴とする。
【００１５】
上記課題を解決するために、請求項９に記載の考案は、請求項１から８のいずれか１項に記載のフード付被服用ハンガー補助具において、ハンガー係合部には、フード付被服が掛けられているハンガーを掛けるための１又は２以上の貫通孔が設けられていることを特徴とする。
【００１６】
【考案の実施の形態】
以下、本考案に係るフード付被服用ハンガー補助具を図面に基づいて詳細に説明する。
図１は、本考案に係るフード付被服用ハンガー補助具１の第１の実施形態を示す概略斜視図である。
まず、本考案に係るフード付被服用ハンガー補助具１は、図７に示すように、フード付被服１００を干す際に、フードの立体形状を保持した状態で干すとこができるようにした補助具である。フードを型崩れさせないで、且つ、その立体形状を保持して干すためのフード支持体１０と、ハンガーフック体２０と、を備えて構成されている。
【００１７】
まず、図１に示すように、フード支持体１０は、底面が開口した半円錐形状で、内側は中空となっている。また、材質は耐水性及び耐腐食性がある樹脂又は非鉄金属が使用されている。
【００１８】
また、フード支持体１０は、底面部１２と、フード係止片１３と、円錐面１４と、通気孔１５と、開口部１６と、係合部１８と、を備えている。
【００１９】
フード係止片１３は、フード支持体１０の断面略Ｕ字状の底面部１２の外周に沿って設けられている。フード係止片１３は、複数の三角形が連続して略Ｕ字状に連なるようにして形成されている。また、全体が弾性を有する樹脂で形成され、フード係止片１３に図１のＣ方向に力が加わるとＣ方向に撓み、その力を取り除くとフード係止片１３の弾性により元に戻るようにされている。これにより、フードが受ける風圧による力の一部を吸収し、フードがフード支持体から外れるのを防止することができる。
尚、フード係止片１３は、弾性を有する部材であれば樹脂に限らずゴム等でも良いことは言うまでもない。また、フード係止片１３は、フード支持体１０と着脱可能にされていても、一体に形成されていても良い。フード係止片１３の高さは、フードを係止することができれば良く、当該フードの大きさによる違いはあるが約１ｃｍ〜２ｃｍの範囲である。
【００２０】
円錐面１４には、底面部１２側から頂点１２ａ方向に、楕円形の複数の通気孔１５、１５があけられている。
通気孔１５、１５は、開口部１６からの風を通過させることができる形状であれば、楕円形に限らず、丸形でも、四角形、三角形などでも良い。
【００２１】
図２に示すように、係合部１８は、後述するハンガーフック体２０に設けられたハンガー係合部２４を挿入するための挿入孔１８ａと、その挿入孔１８ａと連続してつなげられたストレート孔１８ｂを有している。ストレート孔１８は、ハンガーフック体２０とフード支持体１０とを係合させるために当該ハンガーフック体２０を図１に示すＢ方向にスライドさせる。
【００２２】
次に、ハンガーフック体２０は、フック部２２と、ハンガー係合部２４と、を有して構成されている。
【００２３】
フック部２２は、耐候性のある樹脂又は非鉄金属や金属で作られており、図６に示す物干し竿３００などに掛けるためにフック形や鍵形をしている。
【００２４】
また、図３（ａ）（ｂ）に示すように、ハンガー係合部２４は、ハンガー２００又は調節バンド３０（図５を参照）を掛けるための１又は複数の孔２４ａを有している。
従って、図１に示すように孔２４ａにハンガー２００を直接掛けても良く、図５に示すように、調節バンド３０を取り付けてハンガー２００を掛ける高さを調節し、その調節バンド３０に形成される孔３２にハンガー２００を掛けても良い。さらに、図３（ｂ）に示すように複数の孔２４ａのいずれか適当な高さの孔２４ａにハンガー２００を取り付けるようにしても良い。これは、フード付被服１００のサイズやハンガー２００の大きさに応じて使い分けることができる。
尚、図３（ｂ）に示すように、フック部２２を曲げても良い。
【００２５】
図４（ａ）は、フード係止片１３の他の実施形態を示す概略斜視図である。
図４（ａ）に示されたフード係止片１３は、フード支持体１０の断面略Ｕ字状の底面部１２の外周に沿って複数の波形形状が連続して略Ｕ字状に連なるようにして形成されている。フード係止片１３は、フード支持体１０と着脱可能にされていても、一体に成形されていても良い。また、フード係止片１３は摩擦抵抗が大きい滑り防止部材を用いるのが好ましい。
【００２６】
図４（ｂ）は、フード係止片１３のさらに他の実施形態を示す概略斜視図である。
図４（ｂ）に示された、フード係止片１３は、断面略Ｔ字型の部材であり、フード支持体１０の断面略Ｕ字状の底面部１２の外周に沿って設けられた複数の嵌合孔１１にそれぞれ嵌め込んで使用される。
【００２７】
図示しないフード付被服のフードの端部側を、２以上のフード係止片１３、１３の間を縫うようにしてセットすることにより（図４（ｂ）に示す矢印方向）、フードが保持され、風が吹いてフードがフード支持体１０から外れるのを防止することができる。
【００２８】
次に、図６は、フード支持体１０の他の実施形態を表す概略斜視図である。
半円錐形状に形成されたフード支持体１０の底面部１２の略外縁真ん中に略半楕円形状の突出片１９が形成されている。当該突出片１９には、さらにハンガーフック体挿通孔１９ａが設けられている。ハンガーフック体２０のフック部２２は、図６に示すＧ方向からハンガーフック体挿通孔１９に挿通され、ハンガー係合部２４の上端側が前記突出片１９と当接することによって係止するようにされている。ハンガーフック体２０を前記ハンガーフック体挿通孔１９ａに挿通した状態では、当該ハンガーフック体２０は底面部１２よりも底面部方向の外側に位置しているので、図示しない開口したフードの縁部がフード係止片１３にしっかりと掛けることが出来きる。また、フードを干している時は、当該フードはハンガーフック体２０と接触していないので、ハンガーフック体２０の跡が残ることはない。
【００２９】
次に、図７は、フード支持体のさらに他の実施形態を示す概略斜視図である。
図示された第２の実施形態のフード支持体１０は、第１の実施形態のフード支持体１０の頂点１２ａ側を切断したものであり、第１の実施例に示す２つの通気孔１５、１５の間によって形成される肉部分（以下、フード係止片１７と言う。）の一端部が自由端となっている（図７を参照）。
【００３０】
各フード係止片１７、１７の自由端側にはそれぞれ貫通孔１７ａ、１７ａが設けられている。
【００３１】
また、隣り合う各貫通孔１７ａ、１７ａは、連結糸４０で接続されており、フード係止片１７の自由端がバラバラに動かないように、動く範囲を規制されている。
【００３２】
さらに、すべてのフード係止片１７、１７の各貫通孔１７ａ、１７ａには、調整糸４１の一端側が挿通されており、他端側は図７に示す固定手段５０に挿通されている。
【００３３】
固定手段５０に挿通された側の調整糸４１を図７のＤ方向に引っ張ると、調整糸４１のフード係止片１７側に接続された他端側も引っ張られて、各フード係止片１７、１７はＥ方向に動いて窄まるようにされている。この時、固定手段５０により、調整糸４１は図７に示すＤ方向には引っ張ることができるが、Ｄ方向に引っ張られた調整糸４１はその位置で保持され、Ｄと逆方向には戻らないように図示しないストッパーが設けられている。固定手段５０に設けられている図示しない解除手段を回転させると前記ストッパーが解除され、保持された調整糸４１は、Ｄ方向と逆方向に移動可能となりその場合には、それぞれのフード係止片１７、１７はＥ方向と逆方向に戻るようにされている。
【００３４】
この構成により、各調整糸４１、４１をＤ方向に引っ張ると各フード係止片１７、１７はＥ方向に移動して、フード支持体１０全体として窄まった状態となり、フード形状が小さいフード付被服に用いることができる。また、前記固定手段５０に設けられた、図示しない解除手段を解除して調整糸４１、４１をＤ方向と逆方向に引っ張ると各フード係止片１７、１７はＥ方向とは逆方向に動き、フード支持体１０は全体として広がった状態となり、フード形状が大きいフード付被服に用いることができる。このように、調整糸４１の調整により、フード支持体１０のフード係止片を窄めたり又は広げたりすることができ、フード付被服のフード形状に応じてある程度調整することができる。
【００３５】
次に、本考案に係るフード付被服用ハンガー補助具１を実際の使用方法を図１及び図８に基づいて説明する。
【００３６】
まず、使用者は、フード付被服１００のサイズとそれが掛けられたハンガー２００の大きさに応じて、予めフード付被服用ハンガー補助具１に備えられた調節バンド３０を調節してフードがフード支持体１０を覆える位置になるように調節バンド３２により形成される孔３２の高さを設定する。
【００３７】
フード付被服１００のフードをフード支持体１０を覆うようにして頂点１２ａ側から被せる。この時、フードの開口部の縁部分がフード係止片１３としっかりと係合するように覆い被せる。
【００３８】
そして、この状態では、フードに向かって図８に示すＦ方向に風が吹いたとしても、フード係止片１３が図１に示すＣ方向に撓むことによって、フードに作用する力の一部がフード係止片１３で吸収されると共に、フード係止片１３の摩擦力によりフードはフード係止片１３から外れるのを防止するようにされていると共にフードを立体形状のまま自然な形で乾燥させることができる。
乾燥し終わったら、ハンガー２００をフード付ハンガー補助具１から取り外し、さらにフード付被服１００をハンガー２００から取り外す。
【００３９】
【考案の効果】
以上説明したように、本考案によるフード付被服用ハンガー補助具によれば、フードの立体形状を保持するように形成されたフード支持体と、一端側にフード付被服が掛けられたハンガーと係合するためのハンガー係合部が設けられると共に他端側にはフード付被服用ハンガー補助具を吊るすためのフック部が設けられたハンガーフック体と、を備えて構成されているので、フード付被服のフードをそれ自体の立体形状を保持した状態で干すことができ、従来のフードが垂れ下がった状態やフードがハンガーに平面的に掛けられた状態で干すよりもフード部分の乾燥時間が短縮できるという効果がある。
【００４０】
また、フード支持体は、底面部が開口した半円錐形状とされ、その円錐面の周囲に複数の通気孔が穿設されているのでフード支持体の通気性が良く、フード支持体がフードに密着することによってフードが乾燥し難くなるのを防止できるという効果がある。
【００４１】
フード支持体は、円錐面の外径がフードの寸法に合わせて所定の大きさに調節できるようにされているので、フードの形状に合わせてフード支持体の円錐面の外径を調整させて合わせることができ、より確実にフードを保持することができるという効果がある。
【００４２】
また、フード支持体は、円錐面の外側にフードがフード支持体から外れるのを防止するフード係止片を備えて構成されているので、フードを洗濯バサミなどで挟まなくても、フードがフード支持体から外れるのを防止することができると共に、従来のように洗濯バサミなどで挟んで固定することによって、その挟んだ跡がフードに付くのを防止できるという効果がある。
【００４３】
また、ハンガーフック体は、フード支持体と着脱可能に挿嵌され、フード付被服の形状及び大きさによって、所定の形状のものに交換することができるので、ハンガーフック体だけを交換することによって様々なサイズやフード形状のフード付被服に対応できるという効果がある。
【００４４】
また、フード係止片は、弾性部材で形成され、フード係止片に力が加わるとその方向に撓むようにされているので、フードに風圧などが加わった場合に、フードに作用する力をフード係止片の弾性力で吸収することができるという効果がある。
【００４５】
また、フード係止片は、フード支持体と着脱可能に設けられ、フードの大きさ及び種類によって所定の形状のものに交換することができるので、フード支持体を交換することなく、洗濯した後のフード部分の重量やフード自体の大きさなどに対応させて、フードがフード支持体から外れるのを防止できるという効果がある。
【００４６】
また、ハンガー係合部には、フード付被服が掛けられているハンガーを掛けるための孔の位置が調節可能に設けられているので、フード付被服のサイズに応じて、その被服が掛けられているハンガーを吊るす位置を変更できるという効果がある。
【００４７】
また、ハンガー係合部には、フード付被服が掛けられているハンガーを掛けるための１又は２以上の孔が設けられているので、フード付被服のサイズに応じて、その被服が掛けられているハンガーを吊るす位置を変更できるという効果がある。
【図面の簡単な説明】
【図１】本考案の第１の実施形態に係るフード付被服用ハンガー補助具の概略斜視図である。
【図２】（ａ）はフード支持体の平面図であり、（ｂ）はその側面図である。
【図３】（ａ）はハンガーフック体を表す概略斜視図であり、（ｂ）はハンガーフック体の他の実施形態を表す概略斜視図である。
【図４】（ａ）はフード係止片の他の実施形態を表す概略斜視図であり、（ｂ）はフード係止片のさらに他の実施形態を表す概略斜視図である。
【図５】本考案のフード付被服用ハンガー補助具の第２の実施形態を示す概略斜視図である。
【図６】フード支持体の他の実施形態を表す概略斜視図である。
【図７】フード支持体のさらに他の実施形態を表す概略斜視図である。
【図８】本考案に係るフード付被服用ハンガー補助具の使用状態を表す概略斜視図である。
【符号の説明】
１　フード付被服用ハンガー補助具
１０　フード支持体
１１　嵌合孔
１２　底面部
１２ａ　頂点
１３　フード係止片
１４　円錐面
１５　通気孔
１６　開口部
１７　フード支持片
１７ａ　貫通孔
１８　係合部
１８ａ　挿入孔部
１８ｂ　ストレート孔部
１９　突出片
１９ａ　ハンガーフック体挿通孔
２０　ハンガーフック体
２２　フック部
２４　ハンガー係合部
２４ａ　孔
３０　調節バンド
４０　連結糸
４１　調整糸
５０　固定手段
１００　フード付被服
２００　ハンガー
３００　物干し竿
【図１】
0003098924.tif 000003
【図２】
0003098924.tif 000004
【図３】
0003098924.tif 000005
【図４】
0003098924.tif 000006
【図５】
0003098924.tif 000007
【図６】
0003098924.tif 000008
【図７】
0003098924.tif 000009
【図８】
0003098924.tif 000010